(57)【要約】【課題】特定キーの押下時間を測定し、あるいは特定キーの押下を検知し、あらかじめ設定された入力モードに強制復帰させることにより、使い勝手の向上をはかる。【解決手段】制御部１（入力モード制御手段）は、特定キーの押下を検知し、もしくは特定キーの押下時間を監視して特定キーが所定時間以上連続して押下されたことを検知したときに、あらかじめ設定された入力モードに強制復帰させ、入力された文字または記号を、あらかじめ設定された言語により、もしくは自身が属するエリアに有効な言語により表示する。【選択図】図１
2008046779.tif 000002
【特許請求の範囲】
【請求項１】
入力モードにしたがい１個のキーに割当てられた複数種の文字または記号を入力する携帯端末装置であって、
特定キーの押下を検知したときに、あらかじめ設定された入力モードに強制復帰させる入力モード制御手段、
を備えたことを特徴とする携帯端末装置。
【請求項２】
前記入力モード制御手段は、
前記特定キーが押下されたことを検知したときに、あらかじめ設定された言語を読み出して前記入力モードへの復帰を確定し、直前に有効になっていた入力モードと前記確定した入力モードとの比較を行い、当該比較結果によっては前記確定した入力モードに変更し、入力された文字あるいは記号を設定された言語に基づき表示することを特徴とする
請求項１記載の携帯端末装置。
【請求項３】
前記入力モード制御手段は、
前記特定キーが押下されたことを検知したときに、基地局から取得される情報から自身が属するエリアを特定し、前記エリアに有効な言語に基づく前記入力モードへの復帰を確定することを特徴とする
請求項２記載の携帯端末装置。
【請求項４】
入力モードにしたがい１個のキーに割当てられた複数種の文字または記号を入力する携帯端末装置であって、
特定キーの押下時間を監視する時間監視手段と、
前記特定キーが所定時間以上連続して押下されたことを検知したときに、あらかじめ設定された入力モードに強制復帰させる入力モード制御手段と、
を備えたことを特徴とする携帯端末装置。
【請求項５】
前記入力モード制御手段は、
前記特定キーが所定時間以上連続して押下されたことを検知したときに、あらかじめ設定された言語を読み出して前記入力モードへの復帰を確定し、直前に有効になっていた入力モードと前記確定した入力モードとの比較を行い、当該比較結果によっては前記確定した入力モードに変更し、入力された文字あるいは記号を設定された言語に基づき表示することを特徴とする
請求項４記載の携帯端末装置。
【請求項６】
前記入力モード制御手段は、
前記特定キーが所定時間以上連続して押下されたことを検知したときに、基地局から取得される情報から自身が属するエリアを特定し、前記エリアに有効な言語に基づく前記入力モードへの復帰を確定することを特徴とする
請求項５記載の携帯端末装置。
【請求項７】
前記所定時間を可変設定するメッセージを表示してユーザによる設定入力を促し、ユーザによる設定入力を取り込み、前記特定キーの押下の時間監視に反映させるユーザインタフェース提供手段、
を備えたことを特徴とする
請求項４から６のいずれか１項に記載の携帯端末装置。
【請求項８】
入力モードに従い、１個のキーに割当てられた複数種の文字または記号を入力する操作入力手段と、
特定キーの押下、もしくは特定キーの押下時間を監視し、前記特定キーの押下、もしくは前記特定キーが所定時間以上連続して押下されたことを検知したときに、あらかじめ設定された入力モードに強制復帰させる制御手段と、
前記制御手段による制御の下、前記入力された文字または記号を、あらかじめ設定された言語により、もしくは自身が属するエリアに有効な言語により表示する表示手段と、
を備えたことを特徴とする携帯端末装置。
【発明の詳細な説明】
【技術分野】
【０００１】
本発明は、入力モードにしたがい１個のキーに割当てられた複数種の文字または記号を入力する、例えば、携帯電話機に用いて好適な、携帯端末装置に関する。
【背景技術】
【０００２】
携帯電話機の性能向上は目覚しく、多様化に伴い、流通している携帯電話のほとんど全ての機種に電子メールの送受信機能が搭載されている。
通常、携帯電話機では、実装可能なキー数の制限から、１個のキーに対して、英数文字、かな文字、英記号等、複数種の文字が割当てられており、別途割当てられるシフトキーの押下により入力モードが決まり、その入力モードにしたがいいずれかの文字種が有効となる。そして、入力された文字が携帯電話機本体に取り込まれ、電子メールが作成され、送信されるようになっている。
【０００３】
上記した携帯電話機の文字入力方法については、従来から多数出願されており、例えば、特定キーでのトグル動作、あるいは一覧表示から選択することにより入力モードの切替えを行なう方法（例えば、特許文献１参照）、アルファベットの大文字小文字の切替えをキーの押下時間により監視する方法（例えば、特許文献２参照）が知られている。
【特許文献１】特許第３６５２９８９号公報
【特許文献２】特表２００２−５１８７２１号公報
【発明の開示】
【発明が解決しようとする課題】
【０００４】
上記した特許文献１に開示された技術において、トグル動作によれば、記号入力や、全角英数文字入力等の入力モードから、デフォルトで設定される、比較的使用頻度の高い仮名漢字入力モード（以下、ベース入力モードという）に復帰させる場合、仮名漢字入力モード→全角カタカナ入力モード→半角カタカナ入力モード→全角英字入力モード→半角英字入力モード→数字入力モード→記号入力モード→仮名漢字入力モードの７タッチ要する。
【０００５】
また、一覧表示によっても、まず、リストを表示し、十字キー等によりデフォルト設定された入力モードを選択し、変更する必要があるため、「表示」、「選択」、「確定」のための３タッチ要する。したがって、上記したトグル、一覧表示のいずれの方法においても使用頻度の高いベース入力モードへの復帰に時間を要し、相当数のタッチを要するため使い勝手が悪く、操作性に難があった。
一方、特許文献２に開示された技術によれば、アルファベットの大文字小文字の切替えをキーの押下時間によって切替える方法が開示されているが、アルファベット以外の他の入力モードから、ベース入力モードに強制復帰させることによる使い勝手の向上に関する技術についての開示はない。
【０００６】
本発明は上記した課題を解決するためになされたものであり、特定キーの押下時間を測定し、あるいは特定キーの押下を検知し、あらかじめ設定された入力モードに強制復帰させることにより、使い勝手の向上をはかった、携帯端末装置を提供することを目的とする。
【課題を解決するための手段】
【０００７】
上記した課題を解決するために本発明の携帯端末装置は、入力モードにしたがい１個のキーに割当てられた複数種の文字または記号を入力する携帯端末装置の特定キーの押下時間を監視する時間監視手段と、特定キーが所定時間以上連続して押下されたことを検知したときに、あらかじめ設定された入力モードに強制復帰させる入力モード制御手段と、を備えたものである。
【０００８】
また、本発明の携帯端末装置は、入力モードにしたがい１個のキーに割当てられた複数種の文字または記号を入力する携帯端末装置の特定キーの押下を検知したときに、あらかじめ設定された入力モードに強制復帰させる入力モード制御手段、を備えたものである。
【０００９】
また、本発明の携帯端末装置は、入力モードに従い、１個のキーに割当てられた複数種の文字または記号を入力する操作入力手段と、特定キーの押下、もしくは特定キーの押下時間を監視し、特定キーの押下、もしくは特定キーが所定時間以上連続して押下されたことを検知したときに、あらかじめ設定された入力モード強制復帰させる制御手段と、制御手段による制御の下、入力された文字または記号を、あらかじめ設定された言語により、もしくは自身が属するエリアに有効な言語により表示する表示手段と、を備えたものである。
【発明の効果】
【００１０】
本発明によれば、特定キーの押下時間を測定し、あるいは特定キーの押下を検知して、あらかじめ設定された入力モードに強制復帰させることにより、使い勝手の向上をはかった携帯端末装置を提供することができる。
【発明を実施するための最良の形態】
【００１１】
図１は、本発明の実施の形態（後述する実施の形態１〜４）にかかわる携帯端末装置の内部構成を示すブロック図である。ここでは、携帯端末装置として携帯電話機が例示されており、本発明と関係する構成ブロックのみ抽出して示してある。
【００１２】
図１に示されるように、携帯電話機は、特定キーの押下を検知し、あるいは特定キーの押下時間を監視し、当該特定キーが所定時間以上連続して押下されたことを検知したときに、あらかじめ設定された入力モードに強制復帰させる制御手段としての制御部１と、入力モードに従い、１個のキーに割当てられた複数種の文字または記号を入力する操作入力手段としての操作入力部２と、制御部１による制御の下、入力された文字または記号を、あらかじめ設定された言語により、もしくは自身が属するエリアに有効な言語により表示する表示手段としての表示部３とにより構成される。
なお、操作入力部２は、ユーザ操作により、入力モードにしたがい１個のキーに割当てられた複数種の文字または記号を入力するキースイッチ群で構成され、また、表示部３は、操作入力部２を介して入力された文字を表示する、例えば、ＬＣＤ（Liquid Crystal Display Device）モニタで構成される。
【００１３】
このため、制御部１は、主制御部１０と、タイマ監視部１１と、入力モード判定部１２と、ローミング制御部１３と、ＧＵＩ提供部１４と、表示制御部１５とにより構成される。
主制御部１０は、タイマ監視部１１により、特定キーが所定時間以上連続して押下されたことを検知したときに、あらかじめ設定された入力モードに強制復帰させる入力モード制御手段として動作する。なお、特定キーは、操作入力部２のキー配置のうち、トグル動作を行なう通常キーと兼用し、もしくは通常キーとは別の専用キーに割当てられる。このとき、タイマ監視部１１は、特定キーの押下時間を監視する時間監視手段して動作し、また、入力モード判定部１２は、操作入力部２を介して入力されるキーの入力モードを判定して主制御部１０に引き渡す動作を行なう。
【００１４】
主制御部１０はまた、特定キーが所定時間以上連続して押下されたことを検知したときに、あらかじめ設定された言語を読み出して入力モードへの復帰を確定し、直前に有効になっていた入力モードと、確定した入力モードとの比較を行い、当該比較結果によっては確定した入力モードに変更し、表示制御部１５を制御することにより、入力された文字あるいは記号を設定された言語に基づき表示する。
【００１５】
一方、ローミング制御部１３は、図示せぬ基地局（ＣＳ）から取得される情報から自身が属するエリアを特定して主制御部１０へ引き渡し、このとき、主制御部１０は、入力モード当該エリアに有効な言語に基づく入力モードへの復帰を確定する。
ＧＵＩ提供部１４は、主制御部１０による制御の下、タイマ監視部１１に設定される所定時間を可変設定するメッセージを表示してユーザによる設定入力を促し、ユーザによる設定入力を取り込み、特定キーの押下の時間監視に反映させる。表示制御部１５は、主制御部１０、あるいはＧＵＩ提供部１４による制御の下、生成される表示情報を表示信号に変換して表示部３に表示する。
【００１６】
以下、図２〜図５に示すフローチャートを参照しながら本発明の実施の形態の動作について詳細に説明する。
【００１７】
（実施の形態１）
図２は、本発明の実施の形態１にかかわる携帯端末装置の動作を説明するためのフローチャートである。
以下、図２に示すフローチャートを参照しながら本発明の実施の形態１にかかわる携帯端末装置の動作について説明する。
【００１８】
まず、ユーザが操作入力部２を操作することにより、特定キーとして割当てられキー配置された「入力モード変更キー」が押下され、入力モード判定部１１がこれを検知したとする（ステップＳ２０１）。ここでは、「入力モード変更キー」は、トグル動作を行なう通常キーと兼用して用いることとする。
主制御部１０は、このとき、タイマ監視部１１を制御して「入力モード変更キー」の押下時間監視を行なっており（ステップＳ２０２）、入力モード判定部１２は、例えば、連続して６００ｍｓ押下されていた場合に“長押下”と判定し、以下の場合は“短押下”と判定し、その情報を主制御部１０へ引き渡す。
【００１９】
ここで、“短押下”と判定された場合は（ステップＳ２０２“短押下”）、主制御部１０は、従来同様、トグルあるいはリスト表示により入力モードを変更する（ステップＳ２１０）。
一方、“長押下”と判定された場合、主制御部１０は、初期設定済みの表示言語を図示せぬメモリから読み出し（ステップＳ２０３）、例えば、英語、日本語の別を判定する（ステップＳ２０４）。ここで用意される表示モードは、英語と日本語のみとするが、他の国の言語が含まれてもよい。ここで、日本語と判定された場合（ステップＳ２０３“日本語”）、主制御部１０は、日本語表示でのベース入力モードを確定し（ステップＳ２０５）、英語と判定された場合（ステップＳ２０３“英語”）、英語表示でのベース入力モードを確定する（ステップＳ２０６）。
【００２０】
続いて、直前に有効になっていた現在のベース入力モードを読み出し（ステップＳ２０７）、上記により確定したベース入力モードとの比較を行う（ステップＳ２０８）。
ここで不一致と判定された場合（ステップＳ２０８“Ｎｏ”）、主制御部１０は、入力モードを確定したベース入力モードに変更し、強制的に復帰させる（ステップＳ２０９）。そして、表示制御部１５を制御して、操作入力部２を介して入力された文字、あるいは記号を、設定された言語に基づき表示部３に表示する。なお、一致と判定された場合（ステップＳ２０８“Ｙｅｓ”）は何もしない。
【００２１】
上記した実施の形態１によれば、「入力モード変更キー」の押下時間を測定し、長押下が検出されたときに、あらかじめ設定されたベース入力モードに強制復帰させることにより、使い勝手の向上がはかれる。
このようにワンタッチでベース入力モードに復帰できるため、ユーザは、待ち時間によるストレスから開放され、また、キー自体の延命化がはかれる。更に、文書作成時間が短縮されるとともに、表示言語もベース入力モードにあった言語に復帰させることができ、操作性に優れたバイリンガル対応の携帯端末装置を提供できる。
【００２２】
なお、図２に示すフローチャートには示されていないが、長押下、短押下判定の根拠となる監視時間（タイマ値）、所謂所定時間の監視は、装置によりデフォルトで設定される値の他に、ユーザにより設定が可能であるものとする。
すなわち、装置環境の設定時、あるいは適当なタイミングで、制御部１は、ＧＵＩ提供部１４を制御することにより実現される。具体的に、ＧＵＩ提供部１４は、表示部３に対してタイマ監視部１１に初期設定するタイマ値を可変設定するメッセージを表示してユーザによる設定入力を促し、続いて、ユーザによる設定入力を、操作入力部２を介して取り込んで主制御部１０に引き渡し、特定キーの押下の時間監視に反映させるものである。
【００２３】
（実施の形態２）
図３は、本発明の実施の形態２にかかわる携帯端末装置の動作を説明するためのフローチャートである。
以下、図３に示すフローチャートを参照しながら本発明の実施の形態２にかかわる携帯端末装置の動作について説明する。
【００２４】
まず、ユーザが操作入力部２を操作することにより、特定キーとして割当てられキー配置された「ベース入力モード復帰キー」が押下され、入力モード判定部１１がこれを検知したとする（ステップＳ３０１）。ここでは、「ベース入力モード復帰キー」は、トグル動作を行なう通常キーとは別の専用キーとして新規に配置されるものとする。
なお、この「ベース入力モード復帰キー」は、操作入力部２のキー配列によらず、例えば、携帯端末装置側面に配置されたサイドキーであってもよい。
【００２５】
一方、主制御部１０は、初期設定済みの表示言語を読み出し（ステップＳ３０２）、例えば、英語、日本語の別を判定する（ステップＳ３０３）。なお、ここで用意された表示モードは、英語と日本語のみとしたが、他の国の言語が含まれてもよい。
日本語と判定された場合（ステップＳ３０３“日本語”）、主制御部１０は、日本語でのベース入力モードを確定し（ステップＳ３０４）、英語と判定された場合（ステップＳ３０３“英語”）、英語でのベース入力モードを確定する（ステップＳ３０５）。
【００２６】
続いて、直前に有効になっていた現在の入力モードを読み出し（ステップＳ３０６）、上記により確定した入力モードとの比較を行う（ステップＳ３０７）。
ここで不一致と判定された場合（ステップＳ３０７“Ｎｏ”）、主制御部１０は、入力モードを確定したベース入力モードに変更し、強制的に復帰させる。そして、表示制御部１５を制御して、操作入力部２を介して入力された文字、あるいは記号を、設定された言語に基づき表示部３に表示する（ステップＳ３０８）。なお、一致と判定された場合（ステップＳ３０７“Ｙｅｓ”）は何もしない。
【００２７】
上記した実施の形態２によれば、専用に設けられた「ベース入力モード復帰キー」の押下を検知したときにあらかじめ設定された入力モードに強制復帰させることにより、使い勝手の向上がはかれる。なお、専用キーとして割当てた場合は短押下で実現が可能であるため、押下時間の監視等は不要であり、したがって、図１に示すタイマ監視部１１は不要となり、このため、実施の形態１に比較して主制御部１０の負荷が軽減される。
上記したように、ワンタッチでベース入力モードに復帰できるため、ユーザは、待ち時間によるストレスから開放され、文書作成時間が短縮されるとともに、表示言語もベース入力モードにあった言語に自動復帰させることができ、操作性に優れたバイリンガル等の対応の携帯端末装置を提供することができる。
【００２８】
（実施の形態３）
図４は、本発明の実施の形態３にかかわる携帯端末装置の動作を説明するためのフローチャートである。
以下、図４に示すフローチャートを参照しながら本発明の実施の形態３にかかわる携帯端末装置の動作について説明する。
【００２９】
まず、ユーザが操作入力部２を操作することにより、特定キーとして割当てられキー配置された「入力モード変更キー」が押下され、入力モード判定部１１がこれを検知したとする（ステップＳ４０１）。上記したように、「入力モード変更キー」は、トグル動作を行なう通常キーと兼用して用いることとする。
主制御部１０は、このとき、タイマ監視部１１を制御して入力モード変更キーの押下時間監視を行なっており（ステップＳ４０２）、入力モード判定部１２は、例えば、連続して６００ｍｓ押下されていた場合に“長押下”と判定し、以下の場合は“短押下”と判定し、その情報を主制御部１０へ引き渡す。
【００３０】
ここで、“短押下”と判定された場合は（ステップＳ４０２“短押下”）、従来同様、トグルあるいはリスト表示により入力モードを変更する（ステップＳ４０８）。
一方、“長押下”と判定された場合（ステップＳ４０２“長押下”）、主制御部１０は、ローミング制御部１３を介し、基地局（ＣＳ）から入手可能な基地局ＩＤ他の情報から、携帯端末装置が現在位置する、国、地域等のエリアを特定し（ステップＳ４０３）、特定されたエリアに有効な言語を判定してベース入力モードを確定する（ステップＳ４０４）。例えば、エリアが日本と判定された場合、主制御部１０は、日本語でのベース入力モードを確定し、米国と判定された場合、英語でのベース入力モードを確定する。
【００３１】
続いて、主制御部１０は、直前に有効になっていた現在の入力モードを読み出し（ステップＳ４０５）、上記により確定したベース入力モードとの比較を行う（ステップＳ４０６）。
ここで不一致と判定された場合（ステップＳ４０６“Ｎｏ”）、主制御部１０は、ベース入力モードを確定したベース入力モードに変更し、強制的に復帰させる（ステップＳ４０７）。そして、表示制御部１５を制御して、操作入力部２を介して入力された文字、あるいは記号を、設定された言語に基づき表示部３に表示する。なお、一致と判定された場合（ステップＳ４０６“Ｙｅｓ”）は何もしない。
【００３２】
上記した実施の形態３によれば、「入力モード変更キー」の長押下が検出されたときにあらかじめ設定された入力モードに強制復帰させることにより、使い勝手の向上がはかれる。また、基地局から得られる情報から表示言語もベース入力モードにあった言語に復帰させることができ、操作性に優れたバイリンガル等の対応の携帯端末装置を提供できる。
更に、ワンタッチでベース入力モードに復帰できるため、ユーザは、待ち時間によるストレスから開放され、また、キー自体の延命化がはかれる。更に、文書作成時間が短縮される効果も得られる。
【００３３】
（実施の形態４）
図５は、本発明の実施の形態４にかかわる携帯端末装置の動作を説明するためのフローチャートである。
以下、図５に示すフローチャートを参照しながら本発明の実施の形態４にかかわる携帯端末装置の動作について説明する。
【００３４】
まず、ユーザが操作入力部２を操作することにより、特定キーとして割当てられキー配置された「ベース入力モード復帰キー」が押下され、入力モード判定部１１がこれを検知したとする（ステップＳ５０１）。「ベース入力モード復帰キー」は、トグル動作を行なう通常キーとは別の専用キーとして新規に配置されたものであることは上記した通りである。
一方、主制御部１０は、ローミング制御部１３を介し、基地局（ＣＳ）から入手可能な基地局ＩＤ他の情報から、携帯端末装置が現在位置する、国、地域等のエリアを特定し（ステップＳ５０２）、特定されたエリアに有効な言語を判定してベース入力モードを確定する（ステップＳ５０３）。例えば、エリアが日本と判定された場合、主制御部１０は、日本語でのベース入力モードを確定し、米国と判定された場合、英語でのベース入力モードを確定する。
【００３５】
続いて、主制御部１０は、直前に有効になっていた現在の入力モードを読み出し（ステップＳ５０４）、上記により確定したベース入力モードとの比較を行う（ステップＳ５０５）。
ここで不一致と判定された場合（ステップＳ５０５“Ｎｏ”）、主制御部１０は、ベース入力モードを確定したベース入力モードに変更し、強制的に復帰させる（ステップＳ５０６）。そして、表示制御部１５を制御して、操作入力部２を介して入力された文字、あるいは記号を、設定された言語に基づき表示部３に表示する。なお、一致と判定された場合（ステップＳ５０５“Ｙｅｓ”）は何もしない。
【００３６】
上記した実施の形態４によれば、専用に設けられた「ベース入力モード復帰キー」の押下を検知したときにあらかじめ設定された入力モードに強制復帰させることにより、使い勝手の向上がはかれる。また、基地局から得られる情報から表示言語もベース入力モードにあった言語に自動で復帰させることができ、操作性に優れたバイリンガル等の対応の携帯端末装置を提供することができる。
更に、ワンタッチでベース入力モードに復帰できるため、ユーザは、待ち時間によるストレスから開放され、また、文書作成時間が短縮される効果も得られる。
【００３７】
なお、図１に示す制御部１（主制御部１０）は、具体的にはマイコンにより構成され、マイコンが内蔵のメモリに記録されたプログラムを読み出し、逐次実行してメモリを含む周辺デバイスを制御することにより、「特定キーの押下を検知し、もしくは特定キーの押下時間を監視して特定キーが所定時間以上連続して押下されたことを検知したときに、あらかじめ設定された入力モードに強制復帰させ、入力された文字または記号を、あらかじめ設定された言語により、もしくは自身が属するエリアに有効な言語により表示する」機能を実現するものである。
ここで、周辺デバイスとは、タイマ監視部１１、入力モード判定部１２、ローミング制御部１３、ＧＵＩ提供部１４、表示制御部１５のうちの少なくも一つをいい、マイコンとは独立したＬＳＩで構成されるものとする。なお、これらの構成が実現する機能のうちのいくつかはマイコンが負荷分担してもよい。
【図面の簡単な説明】
【００３８】
【図１】本発明の実施の形態にかかわる携帯端末装置の内部構成を示すブロック図である。
【図２】本発明の実施の形態１にかかわる携帯端末装置の動作を示すフローチャートである。
【図３】本発明の実施の形態２にかかわる携帯端末装置の動作を示すフローチャートである。
【図４】本発明の実施の形態３にかかわる携帯端末装置の動作を示すフローチャートである。
【図５】本発明の実施の形態４にかかわる携帯端末装置の動作を示すフローチャートである。
【符号の説明】
【００３９】
１…制御部、２…操作入力部、３…表示部、１０…主制御部、１１…タイマ監視部、１２…入力モード判定部、１３…ローミング制御部、１４…ＧＵＩ提供部、１５…表示制御部
【図１】
2008046779.tif 000003
【図２】
2008046779.tif 000004
【図３】
2008046779.tif 000005
【図４】
2008046779.tif 000006
【図５】
2008046779.tif 000007